(57)【要約】【課題】原稿読取り部の発光する光を、表示のために有効に活用することができる、スキャナ機能付きプリンタを提供する。【解決手段】筐体の内部にスキャナ部とプリンタ部とを備えたスキャナ付きプリンタであって、スキャナ部は、原稿を載置するガラス板１２と、ガラス板１２の下面に平行に移動可能に配置され、ガラス板１２に載置された原稿に対して所定の光を発光する発光素子４３を有する発光装置およびその反射光を受光する受光素子４５と備える。筐体には、待機状態における発光装置からの光を外部に放出することで、プリンタ部に関する所定の表示を行なう表示部４６が設けられている。【選択図】図４
2008011237.tif 000002
【特許請求の範囲】
【請求項１】
筐体の内部にスキャナ部とプリンタ部とを備えたスキャナ付きプリンタであって、
前記スキャナ部は、原稿を載置するガラス板と、前記ガラス板の下面側に平行に移動可能に配置され、前記ガラス板に載置された原稿に対して所定の光を発光する発光装置およびその反射光を受光する受光装置と、を有し、
前記筐体には、待機状態における前記発光装置からの光を外部に放出することで、プリンタ部に関する所定の表示を行なう表示部が設けられており、
前記発光装置はコンタクトイメージセンサの一部を構成し、光の三原色をそれぞれ発光する３つの発光素子を有し、前記表示部に対応する位置において、前記３つの発光素子のうち、２つまたは３つの発光素子を同時または交互に発光させることで、混合色を発光させることが可能であり、
前記表示部は複数の点灯箇所を有し、前記スキャナ部はそれらに対応する位置の間を移動可能に構成され、
前記表示部は、投射する光の色を変化させることで、用紙残量およびインク残量を表示する、スキャナ付きプリンタ。
【請求項２】
筐体の内部にスキャナ部とプリンタ部とを備えたスキャナ付きプリンタであって、
前記スキャナ部は、原稿を載置するガラス板と、前記ガラス板の下面側に平行に移動可能に配置され、前記ガラス板に載置された原稿に対して所定の光を発光する発光装置およびその反射光を受光する受光装置と、を有し、
前記筐体には、待機状態における前記発光装置からの光を外部に放出することで、プリンタ部に関する所定の表示を行なう表示部が設けられている、スキャナ付きプリンタ。
【請求項３】
前記発光装置はコンタクトイメージセンサの一部を構成し、光の三原色をそれぞれ発光する３つの発光素子を有する、請求項２に記載のスキャナ付きプリンタ。
【請求項４】
前記発光装置は、前記表示部に対応する位置において、前記３つの発光素子のうち、２つまたは３つの発光素子を、同時または交互に発光させることで、混合色を発光する、請求項２または３に記載のスキャナ付きプリンタ。
【請求項５】
前記プリンタ部はインクジェット方式により印刷を行なうものであって、
前記表示部は、少なくとも、インク切れ警告、インク残量警告、紙詰まり警告、用紙残量警告、および、用紙切れ警告から選択されるいずれかの警告表示を行なう、請求項２から４のいずれかに記載のスキャナ付きプリンタ。
【請求項６】
前記表示部は複数の点灯箇所を有し、前記スキャナ部はそれらに対応する位置の間を移動可能に構成されている、請求項２から５のいずれかに記載のスキャナ付きプリンタ。
【請求項７】
前記表示部は、投射する光の色を変化させることで、用紙残量および／またはインク残量を表示する、請求項２から６のいずれかに記載のスキャナ付きプリンタ。
【発明の詳細な説明】
【技術分野】
【０００１】
この発明は、スキャナ機能を有するプリンタに関する。
【背景技術】
【０００２】
従来から原稿の図形や文字など画像を読取るスキャナ装置が用いられている。スキャナ装置は、原稿の画像を読取るための原稿読取り部を備える。原稿読取り部は、原稿の一方から他方に亙るように長手方向を有する。原稿読取り部は、長手方向に垂直な方向に平行移動する。
【０００３】
原稿読取り部は、ＣＣＤ（Charge Coupled Device）、またはコンタクトイメージセンサ（ＣＩＳ；Contact Image Sensor）などを含む。原稿読取り部は、原稿に光を照射する発光部を備える。
【０００４】
このようなスキャナ装置において、原稿読取り部が発光する光を用いて、スキャナ装置に関する表示を行なう構造が提案されている（特許文献１（特開２００６−７４４６５号公報）、特許文献２（実開平５−７６１６２号公報）、特許文献３（実開平５−７６１６３号公報）参照）。
【０００５】
特許文献１には、原稿読取り部が発する光を外部に透過させることで、読取り対象である、原稿のサイズ、原稿の載置位置、スキャナ装置の操作パネル部分を発光させることが開示されている。
【０００６】
特許文献２には、原稿読取り終端位置に対応する窓を設け、原稿読取り終了時に原稿読取り部の光を放出することにより、原稿読取り終了を表示することが開示されている。
【０００７】
特許文献３には、長溝状の窓を設け、この窓から原稿読取装置が発する光を放出することにより、原稿読取り位置を表示することが開示されている。
【０００８】
特許文献１から３に記載されているスキャナ装置においては、原稿読取り部の光を放出することによりスキャナに関する表示を行なうので、その表示については専用の発光装置を省略することができる。
【特許文献１】特開２００６−７４４６５号公報
【特許文献２】実開平５−７６１６２号公報
【特許文献３】実開平５−７６１６３号公報
【発明の開示】
【発明が解決しようとする課題】
【０００９】
しかしながら、スキャナ装置において原稿を読取るためには、原稿読取り部を原稿に沿って走査させる必要がある。そのため、原稿読取り動作中においては、原稿読取り部が発光する光を用いて、特定の部分を発光させることはできない。
【００１０】
その結果、従来のスキャナ装置においては、原稿読取り部の光によって表示できる事象は限定的なものとなり、また、その表示を行なうことができるのは、原稿読取り動作時以外に限定されていた。
【００１１】
したがって、この発明は、上記課題を解決するためになされたものであり、原稿読取り部の発光する光を、表示のために有効に活用することができる、スキャナ機能付きプリンタを提供することを目的とする。
【課題を解決するための手段】
【００１２】
この発明に基づいたスキャナ機能付きプリンタのある局面に従えば、筐体の内部にスキャナ部とプリンタ部とを備えたスキャナ付きプリンタであって、上記スキャナ部は、原稿を載置するガラス板と、上記ガラス板の下面側に平行に移動可能に配置され、上記ガラス板に載置された原稿に対して所定の光を発光する発光装置およびその反射光を受光する受光装置と、を有している。上記筐体には、待機状態における上記発光装置からの光を外部に放出することで、プリンタ部に関する所定の表示を行なう表示部が設けられている。上記発光装置はコンタクトイメージセンサの一部を構成し、光の三原色をそれぞれ発光する３つの発光素子を有している。上記表示部に対応する位置において、上記３つの発光素子のうち、２つまたは３つの発光素子を交互に発光させることで、混合色を発光することが可能であり、上記表示部は複数の点灯箇所を有し、上記スキャナ部はそれらに対応する位置の間を移動可能に構成され、上記表示部は、投射する光の色を変化させることで、用紙残量およびインク残量を表示する。
【００１３】
この発明に基づいたスキャナ機能付きプリンタの他の局面に従えば、筐体の内部にスキャナ部とプリンタ部とを備えたスキャナ付きプリンタであって、上記スキャナ部は、原稿を載置するガラス板と、上記ガラス板の下面側に平行に移動可能に配置され、上記ガラス板に載置された原稿に対して所定の光を発光する発光装置およびその反射光を受光する受光装置とを有している。上記筐体には、待機状態における上記発光装置からの光を外部に放出することで、プリンタ部に関する所定の表示を行なう表示部が設けられている。
【００１４】
上記スキャナ機能付きプリンタにおいて、上記発光装置はコンタクトイメージセンサの一部を構成し、光の三原色をそれぞれ発光する３つの発光素子を有してもよい。
【００１５】
上記スキャナ機能付きプリンタにおいて、上記発光装置は、上記表示部に対応する位置において、上記３つの発光素子のうち、２つまたは３つの発光素子を交互に発光させることで、混合色を発光してもよい。
【００１６】
上記スキャナ機能付きプリンタにおいて、上記プリンタ部はインクジェット方式により印刷を行なうものであって、上記表示部は、少なくとも、インク切れ警告、インク残量警告、紙詰まり警告、用紙残量警告、および、用紙切れ警告から選択されるいずれかの警告表示を行なうようにしてもよい。
【００１７】
上記スキャナ機能付きプリンタにおいて、上記表示部は複数の点灯箇所を有し、上記スキャナ部はそれらに対応する位置の間を移動可能に構成されていてもよい。
【００１８】
上記スキャナ機能付きプリンタにおいて、上記表示部は、投射する光の色を変化させることで、用紙残量および／またはインク残量を表示するようにしてもよい。
【発明の効果】
【００１９】
本発明に係るスキャナ機能付きプリンタによると、原稿読取り部が発する光によりプリンタに関する表示を行なうので、原稿読取り部が備える発光装置を表示装置としてより有効に活用することができる。すなわち、通常、プリンタ使用時にはスキャナ機能を実現するための原稿読取り部は使用されていないため、プリンタの動作開始時から終了時までの全ての期間において、原稿読取り装置を使用した表示を行なうことができる。
【発明を実施するための最良の形態】
【００２０】
以下、本発明に係る実施の形態について、図１から図５を参照して説明する。なお、図１は、本実施の形態におけるスキャナ機能付きプリンタの構造を示す斜視図であり、図２は、本実施の形態のスキャナ機能付きプリンタのスキャナ部の構造を示す斜視図である。
【００２１】
本実施の形態におけるスキャナ機能付きプリンタは、原稿を読取るスキャナ機能、原稿を複写する機能、および受信した信号またはメモリカードに記録された画像データを印刷するためのプリンタ機能を有する複合プリンタである。
【００２２】
本実施の形態におけるスキャナ付きプリンタ１は、外側の筐体として、ボトムハウジング１１およびトップハウジング１６を備える。トップハウジング１６は、ボトムハウジング１１の上側に形成されている。ボトムハウジング１１の内部には、インクジェットプリンタの機能を実現するための、印刷ヘッド、印刷ヘッド駆動装置、制御装置、用紙送り装置などが内蔵されている。
【００２３】
ボトムハウジング１１の前面には、印刷された用紙を排出するための排紙口１４が形成されている。排紙口１４には、排出された用紙などの被印刷物を一時的に配置しておくための用紙トレイ１３が配置されている。トップハウジング１６の前面には、画像データなどの保存が可能なメモリカードを挿入するためのカード挿入口１５が形成されている。
【００２４】
トップハウジング１６には、平面形状が四角形の開口が形成されている。この開口には、ガラス板１２が配置されている。ガラス板１２は、トップハウジング１６に固定されている。ガラス板１２は、原稿を配置するための原稿載置台として形成されている。原稿は、文字や画像を読取る面がガラス板１２に向かうように載置される。
【００２５】
トップハウジング１６の上側には、可動カバー２１が配置されている。可動カバー２１は、スキャナ付きプリンタの奥側の幅方向に回動軸を有し、回動可能に形成されている。可動カバー２１は、平板状の原稿押え部２３と平板状のリッド２２とを含む。リッド２２は、プラスチック樹脂などの硬質の材料で形成されている。原稿押え部２３は、スポンジなどの軟質の材料で形成されている。
【００２６】
トップハウジング１６において、可動カバー２１の側方には、操作部１８が設けられている。操作部１８には、押しボタンなどが設けられている。トップハウジング１６において、可動カバー２１の側方には、操作状況、稼動状況、または印刷を行なう画像などを表示するための液晶表示パネル１７が配置されている。
【００２７】
トップハウジング１６は、ガラス板１２を支持する部分の端部に、ガラス板１２の表面に対して、段差を有するように形成された段差部２４を含む。段差部２４は、平面形状の四角形の１つの角に基準コーナ部１９を有する。本実施の形態においては、ガラス板１２の奥側に基準コーナ部１９が設定されている。基準コーナ部１９は、ガラス板１２における原稿の位置を定めるためのコーナ部である。使用者は、基準コーナ部１９に原稿の角が当接するように原稿を配置する。
【００２８】
図２に示すように、トップハウジング１６の内側には、原稿読取り部４１が配置されている。原稿読取り部４１は、ガラス板の下側に配置されている。本実施の形態における原稿読取り部４１は、コンタクトイメージセンサ４２を含む。原稿読取り部４１は、長手方向を有する。本実施の形態においては、原稿読取り部４１の長手方向が、スキャナ付きプリンタの奥行き方向と略平行となるように配置されている。
【００２９】
トップハウジング１６の内側には、スキャナ付きプリンタの幅方向に延びる窪み部２５が形成されている。窪み部２５は、トップハウジング１６の底面に形成されている。窪み部２５の内側には、シャフト２６が配置されている。シャフト２６は、円柱状に形成されている。シャフト２６は、長手方向がスキャナ付きプリンタの幅方向と略平行になるように配置されている。
【００３０】
原稿読取り部４１は、シャフトベアリング３２を介してシャフト２６に支持されている。原稿読取り部４１は、矢印５１に示すように、シャフト２６の延びる方向に沿って平行移動ができるように形成されている。原稿読取り部４１は、プリンタスキャナ装置の幅方向に移動するように形成されている。
【００３１】
窪み部２５の内側には、ベルト２７が配置されている。ベルト２７は、プーリ２９によって、環状になるように形成されている。ベルト２７は、モータ２８が駆動することにより、一の方向に回転可能なように形成されている。
【００３２】
原稿読取り部４１は、ベルト２７に固定されている。本実施の形態においては、モータ２８がベルト２７を駆動することにより、回転するベルト２７に伴って、原稿読取り部４１が矢印５１に示す方向に平行移動するように形成されている。
【００３３】
トップハウジング１６の内側には、スキャナ付きプリンタの幅方向に延びる窪み部３０が形成されている。窪み部３０は、トップハウジング１６の底面に形成されている。原稿読取り部４１は、配線３１と電気的に接続されている。
【００３４】
図３は、本実施の形態のスキャナ機能付きプリンタの構造を示す平面図であり、図４は図３におけるIV−IV矢視断面図である。なお図３および図４においては、本実施の形態のスキャナ機能付きプリンタが有する、原稿読取り部を用いた表示機能について説明するため、図１および図２に記載の構造を、一部変形および省略して記載している。
【００３５】
本実施の形態の原稿読取り部４１は、ガラス板１２の下面に相当する領域だけでなく、ガラス板１２より操作部１８側にまで移動可能に構成されている。図３に示すように、原稿読取り部４１は、待機状態で原稿が載置されるガラス板１２の外側の、所定の待機位置に位置する。
【００３６】
この原稿読取り部４１が待機する待機位置の上方には、表示部４６が設けられている。表示部４６は、プリンタに関する表示を行なう。具体的には、インク切れ警告、インク残量警告、紙詰まり警告、用紙残量警告、および、用紙切れ警告から選択されるいずれかの警告表示を行なう。
【００３７】
図４に示すように、表示部４６は、トップハウジング１６の上面を貫通して、表面に露出する、樹脂製の透光部材で構成されている。表示部４６の下面側は、水平方向に拡大しており、原稿読取り部４１が発する光を受光しやすいように構成されている。
【００３８】
図４に模式的に示すように、コンタクトイメージセンサ４２には、ガラス板１２に載置された原稿に向けて、光の三原色をそれぞれ発する３つの発光素子４３ａ，４３ｂ，４３ｃと、その発光素子４３ａ，４３ｂ，４３ｃから発せられる光を一方向に導きながら原稿に向けて出射させるための導光部材４４と、導光部材４４から発せられて原稿によって反射された反射光を受光する、受光素子４５が配設されている。本実施の形態では、発光素子４３ａ，４３ｂ，４３ｃは発光ダイオードにより構成されている。
【００３９】
原稿読取り部４１に内蔵されたコンタクトイメージセンサ４２の発光素子４３ａ，４３ｂ，４３ｃを適宜発光させることにより表示部４６を所望の色に発光させることができる。発光素子４３ａ，４３ｂ，４３ｃのいずれか一つを選択して発光させることにより、３種類の色を表示部４６に表示することができる。
【００４０】
また、３つの発光素子４３ａ，４３ｂ，４３ｃのうちいずれか２つまたは３つを、すばやく交互に発光させることにより、２つまたは３つの発光素子を同時に発光させたときと実質的に同じ色を表示することができる。
【００４１】
具体的には、光の三原色（レッド、グリーン、ブルー）のうち、レッドとグリーンをすばやく交互に発光させることで、人間の目には黄色に見えるような発光が可能である。
【００４２】
これを利用して、投射する光の色を段階的に変化させることが可能である。例えば、表示部４６を用紙残量またはインク残量の表示として用いる場合、残量が十分な場合には、ブルーを発光させて、表示部４６を青色に光らせる。残量が所定の量より少なくなった場合には、レッドとグリーをすばやく交互に発光させて、表示部４６を黄色に光らせる。そして、残量がゼロになった場合には、レッドを発光させて、表示部４６を赤色に発光させることができる。
【００４３】
構造上複数の発光素子を同時に発光させることが可能な場合には、すばやく交互に点滅させる代わりに、複数の発光素子を同時に発光させるようにしてもよい。
【００４４】
このように、原稿読取り部４１の発光素子４３ａ，４３ｂ，４３ｃを、表示部４６の発光装置として用いることで、従来表示部の照明として必要であった、ＬＥＤなどの発光体や、それに用いる配線、回路、基板などが不要となる。
【００４５】
また、原稿読取り部４１は、スキャナ機能を使用するとき以外は、常時、図３に示す待機位置に位置している。スキャナ機能のみで用いる原稿読取り部４１を、プリンタ機能に関して表示する表示部４６の発光体として用いることで、プリンタ機能に関する表示を、プリンタの動作中の必要なときにいつでも行なうことができる。
【００４６】
図５は、変形例のスキャナ機能付きプリンタの構造を示す平面図であり、図６は図５におけるVI−VI矢視断面図である。図５および図６に示すように、複数の表示部４６，４７を設けても良い。この場合には、原稿読取り部４１をこれらの複数の表示部４６，４７に対応する位置に移動させるように構成する。
【００４７】
このように構成することで、より分かりやすい、プリンタの機能に関する表示が可能となる。たとえば、一方の表示部４６をインクに関する表示（たとえば、インク残量表示、インク残量警告など）とし、他方の表示部４７を用紙に関する表示（たとえば、用紙残量表示、用紙残量警告、用紙詰まりなど）とすることができる。
【００４８】
表示部を三箇所以上に設けて、それらの間を原稿読取り部４１が移動可能に構成しても良い。
【００４９】
上記の説明においては、原稿読取り部４１がコンタクトイメージセンサを有する場合について説明したが、ＣＣＤを有する場合にも同様に構成することができる。上記の実施の形態においてはプリンタ部がインクジェットプリンタの場合について説明したが、レーザプリンタや、熱転写プリンタなど他の形式であってもよい。
【００５０】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００５１】
【図１】この発明に基づいた実施の形態におけるスキャナ機能付きプリンタの構造を示す斜視図である。
【図２】この発明に基づいた実施の形態におけるスキャナ機能付きプリンタのスキャナ部の構造を示す斜視図である。
【図３】この発明に基づいた実施の形態におけるスキャナ機能付きプリンタの構造を示す平面図である。
【図４】この発明に基づいた実施の形態における表示部の構造を示す、図３におけるIV−IV矢視断面図である。
【図５】この発明に基づいた実施の形態の変形例におけるスキャナ機能付きプリンタの構造を示す平面図である。
【図６】この発明に基づいた実施の形態の変形例における表示部の構造を示す、図５におけるVI−VI矢視断面図である。
【符号の説明】
【００５２】
１  スキャナ付きプリンタ、１１  ボトムハウジング、１２  ガラス板、１３  用紙トレイ、１４  排紙口、１５  カード挿入口、１６  トップハウジング、１７  液晶表示パネル、１８  操作部、１９  基準コーナ部、２１  可動カバー、２２  リッド、２３  原稿押え部、２４  段差部、２５  窪み部、２６  シャフト、２７  ベルト、２８  モータ、２９  プーリ、３０  窪み部、３１  配線、３２  シャフトベアリング、４１  原稿読取り部、４２  コンタクトイメージセンサ、４３ａ，４３ｂ，４３ｃ  発光素子、４４  導光部材、４５  受光素子、４６，４７  表示部。
【図１】
2008011237.tif 000003
【図２】
2008011237.tif 000004
【図３】
2008011237.tif 000005
【図４】
2008011237.tif 000006
【図５】
2008011237.tif 000007
【図６】
2008011237.tif 000008